(57)【要約】【課題】  テレビ放送を視聴しないスタンバイモードにおいては、緊急放送用の起動制御信号を抽出するための電力消費を大幅に低減する。【解決手段】  ＣＰＵ３は、テレビ放送の受信信号に含まれている周期的な放送期間の緊急放送の起動制御信号を検出する場合に、チューナ回路１のミュート制御、ＡＭＰ回路１１のゲイン制御、ローカル発振回路１３を制御し、チューナ回路１からの受信信号を復調するＯＦＤＭ復調回路２を制御して、通常受信モードでテレビ放送を受信中において、操作部５から受信を停止する指令が入力されたときは、受信回路の受信能力をスタンバイモードの受信能力に設定し、テレビ放送の受信が停止された後は、スタンバイモードの受信能力に設定されたチューナ回路１を起動制御信号の放送期間に同期して動作状態に制御し、他の放送期間は動作停止状態に制御する。【選択図】      図１
2006304054.tif 000002
【特許請求の範囲】
【請求項１】
テレビ放送を受信する受信手段と、
複数段階の受信能力の中から１つの段階の受信能力を選択して前記受信手段に対して設定する受信設定手段と、
前記受信設定手段によって任意の段階の受信能力に設定された前記受信手段で受信されるテレビ放送の受信信号に含まれている周期的な放送期間の緊急放送の識別情報を検出する検出手段と、
第１の段階の受信能力に設定された前記受信手段によってテレビ放送の受信中において、受信を停止する指令が入力されたときは、前記受信手段の受信能力を前記第１の受信能力より低い第２の受信能力に設定するように前記受信設定手段に対して指示する設定指示手段と、
テレビ放送の受信が停止された後は、前記第２の受信能力に設定された受信手段を識別情報の放送期間に同期して動作状態に制御し、他の放送期間は動作停止状態に制御する受信制御手段と、
を備えたテレビ受信装置。
【請求項２】
前記受信制御手段は、テレビ放送の受信が停止された後は、前記受信手段における識別情報の復調機能の動作を維持させ、映像情報および音声情報の復調機能を停止することを特徴とする請求項１に記載のテレビ受信装置。
【請求項３】
前記受信制御手段は、テレビ放送の受信を停止する指令が入力されたときは、前記受信手段のチューナ回路を識別情報の受信が可能な最小限の受信感度に設定することを特徴とする請求項１に記載のテレビ受信装置。
【請求項４】
前記受信制御手段は、前記チューナ回路に供給される電源を制御する電源制御手段をさらに備え、テレビ放送の受信を停止する指令が入力されたときは、識別情報の放送期間に同期して前記チューナ回路に電源を供給し、他の放送期間は電源供給を停止することを特徴とする請求項３に記載のテレビ受信装置。
【請求項５】
複数段階の受信能力の中から１つの段階の受信能力を選択してテレビ放送を受信する受信手段に対して設定するステップＡと、
前記ステップＡによって任意の段階の受信能力に設定された前記受信手段で受信されるテレビ放送の受信信号に含まれている周期的な放送期間の緊急放送の識別情報を検出するステップＢと、
第１の段階の受信能力に設定された前記受信手段によってテレビ放送の受信中において、受信を停止する指令が入力されたときは、前記受信手段の受信能力を前記第１の受信能力より低い第２の受信能力に変更した後に、当該受信手段を識別情報の放送期間に同期して動作状態に制御し、他の放送期間は動作停止状態に制御するステップＣと、
を実行するテレビ放送の受信方法。
【請求項６】
前記ステップＣは、テレビ放送の受信が停止された後は、前記受信手段における識別情報の復調機能の動作を維持させ、映像情報および音声情報の復調機能を停止することを特徴とする請求項５に記載のテレビ放送の受信方法。
【請求項７】
前記ステップＣは、テレビ放送の受信を停止する指令が入力されたときは、前記受信手段のチューナ回路を識別情報の受信が可能な最小限の受信感度に設定することを特徴とする請求項５に記載のテレビ放送の受信方法。
【請求項８】
前記ステップＣは、テレビ放送の受信を停止する指令が入力されたときは、識別情報の放送期間に同期して前記チューナ回路に電源を供給し、他の放送期間は電源供給を停止することを特徴とする請求項７に記載のテレビ放送の受信方法。
【発明の詳細な説明】
【技術分野】
【０００１】
本発明は、テレビ受信装置およびテレビ放送の受信方法に関し、特に、地震や台風などの自然災害の発生の際などに放送される緊急放送を受信するテレビ受信装置およびテレビ放送の受信方法に関するものである。
【背景技術】
【０００２】
放送衛星によるＢＳ放送や通信衛星によるＣＳ放送、および２００３年１２月から一部の地域に放送が開始された地上波デジタル放送においては、映像符号化方式、音声符号化方式、および多重化方式を採用している。多重化方式においては、通常の番組の映像情報および音声情報のほかに、地震や台風などの自然災害の発生の際などの緊急放送がある。図７は、地上波デジタル放送を受信するテレビ受信装置における一般的な受信回路の概略的なブロック図である。この受信回路は、パケット化されたデジタル放送のＴＳ（トランスポート・ストリーム）パケットを受信して復調する。図７において、受信回路は、チューナ回路１１０およびＯＦＤＭ（Orthogonal Frequency Division Multiplex）復調回路１２０で構成されている。図には示していないが、チューナ回路１１０には、アンテナから得られるテレビ放送の高周波の受信信号を増幅するアンプ回路、アンプ回路から出力される高周波の受信信号を中間周波の受信信号に変換するミキサ回路およびローカル発振回路、ミキサ回路から出力される受信信号の不要成分を除去するフィルタ回路などが含まれている。
ＯＦＤＭ復調回路１２０は、ＡＤＣ（Analog-to-Digital Converter）回路１２１、ＦＦＴ（Fast Fourier Transform）回路１２２、復調回路１２３、ＴＭＣＣ（Transmission & Multiplexing Configuration Control）回路１２４、緊急放送デコーダ回路１２５などで構成されている。ＡＤＣ回路１２１は、チューナ回路１１０から出力される受信信号をアナログからデジタルに変換する。ＦＦＴ回路１２２は、ＡＤＣ回路１２１から出力される受信信号に対して高速フーリエ変換を行う。復調回路１２３は、ＦＦＴ回路１２２から出力される受信信号を復調して元のベースバンド信号を再生し、映像情報、音声情報、および文字情報に分離する分離回路やＤＡＣ（Digital -to- Analog Converter）回路などを含む次段の回路ブロックに出力する。ＴＭＣＣ回路１２４は、ＦＦＴ回路１２２から出力される受信信号に含まれている伝送制御信号（ＴＭＣＣ信号）のＴＳパケットを抽出する。
【０００３】
伝送制御信号のＴＳパケットは、主信号の変調方式の変更を通知する変更指示、伝送している変調方式を通知する伝送モード／スロット情報、スロットに割り当てる複数ＭＰＥＧ−ＴＳを通知する相対ＴＳ／スロット情報、相対ＴＳ番号に対する絶対ＴＳ番号を通知する相対ＴＳ／絶対ＴＳ番号、緊急放送用の１ビットの起動制御信号、放送局が使用するアップリング制御信号、予備の拡張情報、および、パリティ符号であるＲＳ符号で構成されている。すなわち、図８に示すように、伝送制御信号のＴＳパケットは１８８ビットのパケットデータおよび１６ビットのパリティからなる２０４ビットで構成されている。緊急放送用の起動信号は、パケットの最初から２７ビット目に存在する。図７において、緊急放送デコード回路１２５は、ＴＭＣＣ回路１２４から出力される伝送制御信号のＴＳパケットから、０（緊急放送無し）又は１（緊急放送有り）の値で表わされる１ビットの緊急放送用の起動制御信号を抽出して制御回路（図示せず）出力する。制御回路は、この緊急放送用の起動制御信号が１であるときは、緊急放送である旨のメッセージをディスプレイに表示するとともに、放送のチャンネルに合わせるような制御を行う。
【０００４】
ところで、緊急放送用の起動制御信号を抽出するためには、テレビ受信装置がテレビ放送を受信していることが必要条件であるが、テレビ放送を視聴していない場合に、いつ放送されるか分からない緊急放送のためにテレビ受信装置を受信状態に維持することは、不必要な電力消費を招くことになり不経済であるとともに、エネルギー資源の無用な消費になってしまう。そこで、テレビ放送を視聴していない場合には、消費電力を抑制した状態で、緊急放送用の起動制御信号を抽出するような提案がいくつかなされている。
【０００５】
例えば、ある提案のデジタル放送復調復号装置では、復調処理・復号処理を行うデジタル放送復調復号装置の内部に省電力制御部を設けている。そして、チューナから入力される受信信号に対して、ＰＳＫ復調部およびビタビ復号部によって信号処理して主信号とＴＭＣＣ信号に分岐した後、ＴＭＣＣ信号の処理系は通常の動作を維持し、省電力制御部によって主信号の信号処理部、ＲＳ復号部、ＴＳ選択部に対するクロックを停止して、これら各部を休止状態にして省電力化を行っている。（特許文献１参照）
また、ある提案のデジタル変調信号受信装置では、省電力モードコントローラを設けて、ＡＧＣアンプ、ミキサ、発振器、ＬＰＦ（ローパスフィルタ）、ＡＤ変換器で構成されるチューナ回路から出力される受信信号を処理する各回路に対して、省電力で動作する省電力信号を供給する。具体的には、複素乗算器を制御するキャリア再生回路、インタポレータを制御するシンボル再生回路、および波形等価器に供給するクロックを周期的に停止して、複素乗算器、インタポレータ、および波形等価器を間歇的に動作させて消費電力を抑制する。また、ＡＧＣ回路に対するクロックを周期的に停止して、チューナ回路のＡＧＣアンプを制御するＤＡ変換器へのＡＧＣ信号を周期的に固定化して、ＡＧＣ回路の誤差検出処理に要する消費電力を抑制する。（特許文献２参照）
【特許文献１】特開２００１−０９４９０２号公報
【特許文献２】特開２００１−２１８１２９号公報
【発明の開示】
【発明が解決しようとする課題】
【０００６】
しかしながら、上記特許文献１および特許文献２のように、部分的な回路に対するクロックを停止したり、周期的にクロックを停止するだけでは、テレビ受信装置全体の消費電力の抑制には限界がある。このため、携帯可能な小型のテレビ受信装置や将来において地上波デジタル放送の受信が可能になる携帯電話装置などのように、電源供給にバッテリを使用する移動型のテレビ受信装置では、緊急放送用の起動制御信号を抽出するための電力消費のために、バッテリの電圧低下の影響でテレビ放送を受信できなくなるおそれがある。特に、このような移動型のテレビ受信装置を持って山や海に出かけたときに災害が発生した場合には、バッテリの電圧低下の影響は致命的である。
本発明は、このような従来の課題を解決するためのものであり、テレビ放送を視聴していない場合において、緊急放送用の起動制御信号を抽出するための電力消費を大幅に低減することを目的とする。
【課題を解決するための手段】
【０００７】
請求項１に記載のテレビ受信装置は、テレビ放送を受信する受信手段（実施形態においては、図１のチューナ回路１およびＯＦＤＭ復調回路２に相当する）と、複数段階（実施形態においては、２段階に相当する）の受信能力の中から１つの段階の受信能力を選択して受信手段に対して設定する受信設定手段（実施形態においては、図１のチューナＲＦ制御回路２８に相当する）と、受信設定手段によって任意の段階の受信能力に設定された受信手段で受信されるテレビ放送の受信信号に含まれている周期的な放送期間の緊急放送の識別情報（実施形態においては、１ビットの起動制御信号に相当する）を検出する検出手段（実施形態においては、図１の緊急放送デコード回路２５に相当する）と、第１の段階の受信能力に設定された受信手段によってテレビ放送の受信中において、受信を停止する指令が入力されたときは、受信手段の受信能力を第１の受信能力より低い第２の受信能力に設定するように受信設定手段に対して指示する設定指示手段（実施形態においては、図１のＣＰＵ３に相当する）と、テレビ放送の受信が停止された後は、第２の受信能力に設定された受信手段を識別情報の放送期間に同期して動作状態に制御し、他の放送期間は動作停止状態に制御する受信制御手段（実施形態においては、図１のＣＰＵ３およびクロック同期回路２７に相当する）と、を備えた構成になっている。
【０００８】
請求項１のテレビ受信装置において、請求項２に記載したように、受信制御手段は、テレビ放送の受信が停止された後は、受信手段における識別情報の復調機能（実施形態においては、図１のＴＭＣＣ回路２４の機能に相当する）の動作を維持させ、映像情報および音声情報の復調機能（実施形態においては、図１の復調回路２３の機能に相当する）を停止するような構成にしてもよい。
【０００９】
また、請求項１のテレビ受信装置において、請求項３に記載したように、受信制御手段は、テレビ放送の受信を停止する指令が入力されたときは、受信手段のチューナ回路を識別情報の受信が可能な最小限の受信感度に設定するような構成にしてもよい。
さらに、請求項３のテレビ受信装置において、請求項４に記載したように、受信制御手段は、チューナ回路に供給される電源を制御する電源制御手段（実施形態においては、図１のクロック同期回路２７および図２のスイッチ回路１６の機能に相当する）をさらに備え、テレビ放送の受信を停止する指令が入力されたときは、識別情報の放送期間に同期してチューナ回路に電源を供給し、他の放送期間は電源供給を停止するような構成にしてもよい。
【００１０】
請求項５に記載のテレビ放送の受信方法は、複数段階（実施形態においては、２段階に相当する）の受信能力の中から１つの段階の受信能力を選択してテレビ放送を受信する受信手段（実施形態においては、図１のチューナ回路１およびＯＦＤＭ復調回路２に相当する）に対して設定するステップＡと、ステップＡによって任意の段階の受信能力に設定された受信手段で受信されるテレビ放送の受信信号に含まれている周期的な放送期間の緊急放送の識別情報（実施形態においては、１ビットの起動制御信号に相当する）を検出するステップＢと、第１の段階の受信能力に設定された受信手段によってテレビ放送の受信中において、受信を停止する指令が入力されたときは、受信手段の受信能力を第１の受信能力より低い第２の受信能力に変更した後に、受信手段を識別情報の放送期間に同期して動作状態に制御し、他の放送期間は動作停止状態に制御するステップＣと、を実行する。
【００１１】
請求項５のテレビ放送の受信方法において、請求項６に記載したように、ステップＣは、テレビ放送の受信が停止された後は、受信手段における識別情報の復調機能（実施形態においては、図１のＴＭＣＣ回路２４の機能に相当する）の動作を維持させ、映像情報および音声情報の復調機能（実施形態においては、図１の復調回路２３の機能に相当する）を停止するような構成にしてもよい。
【００１２】
請求項５のテレビ放送の受信方法において、請求項７に記載したように、ステップＣは、テレビ放送の受信を停止する指令が入力されたときは、受信手段のチューナ回路を識別情報の受信が可能な最小限の受信感度に設定するような構成にしてもよい。
さらに、請求項７のテレビ放送の受信方法において、請求項８に記載したように、ステップＣは、テレビ放送の受信を停止する指令が入力されたときは、識別情報の放送期間に同期してチューナ回路に電源を供給し、他の放送期間は電源供給を停止するような構成にしてもよい。
【発明の効果】
【００１３】
本発明のテレビ受信装置およびテレビ放送の受信方法によれば、テレビ放送を視聴していない場合において、緊急放送用の起動制御信号を抽出するための電力消費を大幅に低減することができるという効果が得られる。
【発明を実施するための最良の形態】
【００１４】
以下、本発明によるテレビ受信装置の実施形態について、図１ないし図６を参照して説明する。
図１は、実施形態におけるテレビ受信装置の構成を示す概略ブロック図である。図１に示すように、この実施形態のテレビ受信装置は、受信回路を構成するチューナ回路１およびＯＦＤＭ（Orthogonal Frequency Division Multiplex）復調回路２のほかに、ＣＰＵ３、インターフェース回路４、操作部５を備えている。チューナ回路１は、その詳細は後述するが、アンテナから得られるテレビ放送の高周波の受信信号を増幅して、高周波の受信信号を中間周波の受信信号に変換し、さらにその不要成分を除去する機能を備えている。
【００１５】
ＯＦＤＭ復調回路２は、ＡＤＣ（Analog-to-Digital Converter）回路２１、ＦＦＴ（Fast Fourier Transform）回路２２、復調回路２３、ＴＭＣＣ（Transmission & Multiplexing Configuration Control）回路２４、緊急放送デコーダ回路２５、クロック制御回路２６、クロック同期回路２７、チューナＲＦ制御回路２８、クロック生成回路２９などで構成されている。ＡＤＣ回路２１は、チューナ回路１１から出力される受信信号をアナログからデジタルに変換する。ＦＦＴ回路２２は、ＡＤＣ回路２１から出力される受信信号に対して高速フーリエ変換を行う。復調回路２３は、ＦＦＴ回路２２から出力される受信信号を復調して元のベースバンド信号を再生し、映像情報、音声情報、および文字情報に分離する分離回路やＤＡＣ（Digital -to- Analog Converter）回路などを含む次段の回路ブロック（図示せず）に出力する。ＴＭＣＣ回路２４は、ＦＦＴ回路２２から出力される受信信号に含まれている伝送制御信号（ＴＭＣＣ信号）のＴＳパケットを抽出する。緊急放送デコード回路２５は、ＴＭＣＣ回路２４によって抽出される２０４ビットのＴＭＣＣ信号（ｂ０〜ｂ２０３）から、ｂ２６の緊急放送の１ビットの起動制御信号を抽出してＣＰＵ３に入力するとともに、起動制御信号に同期したパルス信号である緊急放送デコード信号ｂをクロック同期回路２７に入力する。ＴＭＣＣの起動制御信号に対応した緊急放送デコード信号ｂは一定の周期で挿入されるので、ある緊急放送デコード信号ｂから次の緊急放送デコード信号ｂまでの期間にＴＳパケットの他のビットをｎ個とすると、（ｎ＋１）個のビット数の周期で緊急放送デコード信号ｂがクロック同期回路２７に入力される。
【００１６】
クロック生成回路２９は、基準クロック信号φ１を生成してクロック制御回路２６およびクロック同期回路２７に出力する。クロック制御回路２６は、クロック生成回路２９からの基準クロック信号φ１およびＣＰＵ３からのクロック制御信号に応じて、復調回路２３へのクロック信号の入力又は入力停止を制御する。クロック同期回路２７は、クロック生成回路２９からの基準クロック信号φ１、緊急放送デコード回路２５から入力される緊急放送デコード信号ｂ、およびＣＰＵ３からのスタンバイ信号ａに応じて、３系統の信号ｃ、ｄ、ｈを生成して、信号ｃをチューナ回路１に、信号ｄをチューナ回路１、ＡＤＣ回路２１、およびＦＦＣ回路２２に、信号ｈをチューナＲＦ制御回路２８に、それぞれ出力する。各信号の詳細については後述する。チューナＲＦ制御回路２８は、クロック同期回路２７からの信号ｈおよびＣＰＵ３からのスタンバイ信号ａに応じて、チューナ回路１へのゲイン制御信号ｇを出力する。
【００１７】
図２（１）は、図１におけるクロック同期回路２７およびチューナＲＦ制御回路２８の内部構成を示すブロック図であり、図２（２）はその信号波形である。図２（１）において、内部カウンタ回路７０１（分周器）は、図１のクロック生成回路２９からの基準クロック信号φ１に基づいて、ＴＳパケットの伝送クロック信号と同じ周波数のクロック信号φ２、および、チューナ回路１、ＡＤＣ２１、ＦＦＴ２２の信号処理のクロック信号φ３を生成して出力する。ＡＮＤゲート回路７０２は、ＣＰＵ３から端子Ａに入力されるスタンバイ信号ａと、緊急放送デコード回路２５から端子Ｂに入力される緊急放送デコード信号ｂとの論理積を出力する。
【００１８】
ビットカウント回路７０４は、ＡＮＤゲート回路７０２から出力されるリセット信号ｒの入力に応じてクロック信号φ２をカウントする。すなわち、図２（２）に示すように、緊急放送デコード信号ｂ（ｋ）の入力に応じて、クロック信号φ２をカウントし、ｊ個目に同期したパルス信号ｆを出力し、（ｊ＋２）個目に同期したパルス信号ｅを出力する。ラッチ回路７０５は、ビットカウント回路７０４からのパルス信号ｅおよびインバータ回路７０６で反転されたリセット信号をクロック端子ＣＫに入力して、データ端子Ｄに入力されているデータ（１又は０）をラッチする。この結果、ラッチ回路７０５の端子Ｑから出力される信号ｉは、パルス信号ｅの立ち上がりに同期してローレベルからハイレベルに変化し、次の緊急放送デコード信号ｂ（ｋ＋１）の入力に応じて、ＡＮＤゲート回路７０２を経て、インバータ回路７０６で反転されたリセット信号の立ち上がりに同期してハイレベルから再びローレベルに変化する。ただし、ＡＮＤゲート回路７０２およびインバータ回路７０６の伝搬遅延によって、図２（２）に示すように、ラッチ回路７０５から出力される信号ｉがハイレベルからローレベルに変化するタイミングは、緊急放送デコード信号ｂ（ｋ＋１）のタイミングからわずかに遅れる。
同様に、ラッチ回路７０７は、ビットカウント回路７０４からのパルス信号ｆおよびインバータ回路７０８で反転されたリセット信号をクロック端子ＣＫに入力して、データ端子Ｄに入力されているデータ（１又は０）をラッチする。この結果、ラッチ回路７０７の端子Ｑから出力される信号ｈは、パルス信号ｆの立ち上がりに同期してローレベルからハイレベルに変化し、次の緊急放送デコード信号ｂ（ｋ＋１）の入力に応じて、ＡＮＤゲート回路７０２を経て、インバータ回路７０８で反転されたリセット信号の立ち上がりに同期してハイレベルから再びローレベルに変化する。この場合にも、ＡＮＤゲート回路７０２およびインバータ回路７０８の伝搬遅延によって、図２（２）に示すように、ラッチ回路７０７から出力される信号ｈがハイレベルからローレベルに変化するタイミングは、緊急放送デコード信号ｂ（ｋ＋１）のタイミングからわずかに遅れる。
【００１９】
ＯＲゲート回路７０９は、ラッチ回路７０５からのパルス信号ｉとスタンバイ信号ａがインバータ回路７１０で反転された信号との論理和の信号ｃをチューナ回路１に対して出力する。ＡＮＤゲート回路７１１は、内部カウンタ回路７０１から出力されたクロック信号φ３とＡＮＤゲート回路７０９から出力された信号ｃとの論理積である信号ｄをチューナ回路１、ＡＤＣ回路２１、およびＦＦＴ回路２２に対して出力する。チューナＲＦ制御回路２８のＡＮＤゲート回路８０１は、ラッチ回路７０７から出力される信号ｈと、ＣＰＵ３からのスタンバイ信号ａとの論理積である信号ｇをチューナ回路１に対して出力する。
【００２０】
図３は、チューナ回路１１の内部構成を示すブロック図である。ＡＭＰ回路１１は、アンテナから入力される地上波デジタル放送の高周波の受信信号を増幅して出力する。ＭＩＸＥＲ回路１２は、ＡＭＰ回路１１から出力される受信信号と、ＯＦＤＭ復調回路２からの信号ｄに応じてローカル信号を発振するＯＳＣ回路１３からのローカル発振信号とを合成して、中間周波の受信信号を出力する。ＦＩＬＴＥＲ回路１４は、ＭＩＸＥＲ回路１２から出力される受信信号の不要成分を除去して、ＯＦＤＭ復調回路２のＡＤＣ回路２１に出力する。ゲイン制御回路１５は、ＯＦＤＭ復調回路２からの信号ｇがハイレベルのときはＡＭＰ回路１１の受信感度を下げ、信号ｇがローレベルのときは受信感度を上げる。スイッチ回路１６は、ＯＦＤＭ復調回路２からの信号ｃがハイレベルのときはチューナ回路１に電圧Ｖｃを供給して動作状態にするが、信号ｃがローレベルのときはチューナ回路１への電圧Ｖｃを遮断してミュート状態にする。
【００２１】
次に、図１のテレビ受信装置の動作について、図５に示すＣＰＵ３のフローチャート、図６に示すスタンバイモードにおけるクロック同期回路２７のタイミングチャート、図７に示す緊急放送検知モードにおけるクロック同期回路２７のタイミングチャートに基づいて説明する。ＣＰＵ３は、テレビ放送が視聴されている状態においては、図１の緊急放送デコード回路２５から１ビットの起動制御信号を受信し、起動制御信号が０（ローレベル）のときは、受信中のチャンネルの映像情報、音声情報、および文字情報の出力を維持するが、起動制御信号が１（ハイレベル）に変化したときは、緊急放送の映像情報、音声情報、および文字情報の出力に切り換える。
【００２２】
図５のフローチャートにおいて、ＣＰＵ３は、操作部５からスタンバイモードが設定されたか否かを判別する（ステップＳ１）。すなわち、スイッチ操作によってテレビ放送の受信状態から非受信状態に切り替わったか否かを判別する。スタンバイモードが設定されたときは、ＲＦ制御（ａ）を「１」にセットし（ステップＳ２）、クロック制御を停止する信号を送出する（ステップＳ３）。この結果、図１のＣＰＵ３からクロック同期回路２７およびチューナＲＦ制御回路２８へのスタンバイ信号ａがローレベルからハイレベルに変化し、クロック生成回路２９からクロック制御回路２６によって復調回路２３に入力されているクロック信号φ１が停止して、復調回路２３の動作を停止させる。また、図２（１）に示したインバータ回路７１０でハイレベルのスタンバイ信号ａが反転され、ＯＲゲート回路７０９の端子Ａに入力される。このときは、ラッチ回路７０５の端子Ｑから出力される信号はローレベルであるので、ＯＲゲート回路７０９からローレベルの信号ｃがチューナ回路１のスイッチ回路１６に入力される。このため、スイッチ回路１６がオフとなってチューナ回路１への電圧Ｖｃが遮断される。すなわち、スタンバイモードにおいては、チューナ回路１は非動作状態になり、その消費電力がほぼゼロになる。
【００２３】
ローレベルの信号ｃがチューナ回路１のスイッチ回路１６に入力されて、チューナ回路１への電圧Ｖｃが遮断された後、図２（１）に示したクロック同期回路２７においては、図６のタイミングチャートに示すように、ハイレベルのスタンバイ信号ａと、ＴＭＣＣの起動制御信号に同期した緊急放送デコード信号ｂとがＡＮＤゲート回路７０２に入力されて、緊急放送デコード信号ｂに同期したリセット信号ｒがビットカウンタ回路７０４に入力される。したがって、図２（２）に示したように、ビットカウンタ回路７０４において、伝送クロックと同じ周波数のクロック信号φ２のカウントが開始する。この結果、ビットカウンタ回路７０４から信号ｅが出力されるたびに、緊急放送デコード信号ｂの少し前のタイミングでハイレベルとなり、緊急放送デコード信号ｂのすぐ後のタイミングでローレベルになる信号ｉがＯＲゲート回路７０９の端子Ｂに入力され、緊急放送デコード信号ｂの前後でハイレベルとなる信号ｃがチューナ回路１のスイッチ回路１６に入力される。この結果、スイッチ回路１６が緊急放送デコード信号ｂの前後でオフからオンに変化し、緊急放送デコード信号ｂの前後でチューナ回路１が断続的に非動作状態から動作状態に変化する。
【００２４】
また、スタンバイモードが設定されて、ＣＰＵ３がＲＦ制御（ａ）を「１」にセットし（ステップＳ２）、クロック制御を停止する信号を送出した（ステップＳ３）ときは、図２（１）において、ＣＰＵ３からハイレベルのスタンバイ信号ａがＡＮＤゲート回路８０１の端子Ａに入力されるが、この場合には、ラッチ回路７０７の出力Ｑの信号ｈはローレベルであるので、ＣＰＵ３からローレベルのスタンバイ信号ａが入力されていた通常の受信モードの場合と同じく、ＡＮＤゲート回路８０１からローレベルの信号ｇがチューナ回路１のゲイン制御回路１５に入力される。この結果、ＡＭＰ回路１１は通常の受信モードの高いゲインを維持する。この後、図２（１）に示したクロック同期回路２７においては、図６のタイミングチャートに示すように、ハイレベルのスタンバイ信号ａと、ＴＭＣＣの起動制御信号に同期した緊急放送デコード信号ｂとがＡＮＤゲート回路７０２に入力されて、緊急放送デコード信号ｂに同期したリセット信号ｒがビットカウンタ回路７０４に入力される。したがって、図２（２）に示したように、ビットカウンタ回路７０４において、伝送クロックと同じ周波数のクロック信号φ２のカウントが開始する。したがって、ビットカウンタ回路７０４から信号ｆが出力されるたびに、緊急放送デコード信号ｂの少し前のタイミングでハイレベルとなり、緊急放送デコード信号ｂのすぐ後のタイミングでローレベルになる信号ｈがＡＮＤゲート回路８０１の端子Ｂに入力される。このとき、ＡＮＤゲート回路８０１の端子Ａにはハイレベルのスタンバイ信号ａが入力されているので、ＡＮＤゲート回路８０１から緊急放送デコード信号ｂの前後でハイレベルとなる信号ｇがチューナ回路１のゲイン制御回路１５に入力される。この結果、ＡＭＰ回路１１のゲインが緊急放送デコード信号ｂの前後で下がる。
【００２５】
図４のフローチャートのステップＳ１において、スタンバイモードが設定されない場合には、操作部５の操作によって、スタンバイモードが解除されたか否かを判別する（ステップＳ４）。すなわち、操作部５のスイッチ操作によってテレビ放送の非受信状態から受信状態に切り替わったか否かを判別する。スタンバイモードが解除されない場合には、緊急放送デコード回路２５から緊急コード（起動制御信号＝１）を検出したか否かを判別する（ステップＳ５）。スイッチ操作によってテレビ放送の非受信状態から受信状態に切り替わったとき、又は、１（ハイレベル）の緊急コードを検出したときは、ＲＦ制御（ａ）を「０」にする（ステップＳ６）とともに、クロック制御を動作させる信号を出力する（ステップＳ７）。この結果、図１のＣＰＵ３からクロック同期回路２７およびチューナＲＦ制御回路２８へのスタンバイ信号ａがハイレベルからローレベルに変化し、クロック生成回路２９からクロック制御回路２６によって復調回路２３にクロック信号φ１が入力され、復調回路２３の動作を再開させる。また、図２（１）に示したインバータ回路７１０でローレベルのスタンバイ信号ａが反転され、ＯＲゲート回路７０９を介して、ハイレベルの信号ｃがチューナ回路１のスイッチ回路１６に入力される。したがって、スイッチ回路１６がオンとなってチューナ回路１に電圧Ｖｃが供給されて、チューナ回路１は連続的に動作状態になる。
【００２６】
図６は、緊急コードを検出したときのタイミングチャートを表している。スタンバイモードにおいてスタンバイモードが解除されず、且つ、起動制御信号＝０で緊急コードを検出しない状態においては、図５に示した状態を維持するが、起動制御信号＝０から１に変化したときは、ローレベルのスタンバイ信号ａがインバータ回路７１０で反転されて、ハイレベルの信号がＯＲゲート回路７０９の端子Ａに入力される。また、ローレベルのスタンバイ信号ａがＡＮＤゲート回路７０２に入力されるので、その出力であるリセット信号ｒが連続的にローレベルになり、ビットカウンタ回路７０４のカウント動作が停止する。このため、ビットカウンタ回路７０４からの信号ｅも停止して、ラッチ回路７０５の出力Ｑからの信号ｉは連続的にローレベルとなる。このときは、ＯＲゲート回路７０９の端子Ａにはインバータ回路７１０からハイレベルの信号が入力されているので、ＯＲゲート回路７０９の端子Ｂに入力される信号ｉにかかわらず、ＯＲゲート回路７０９からハイレベルの信号ｃがチューナ回路１のスイッチ回路１６に入力される。したがって、スイッチ回路１６が緊急放送デコード信号ｂの期間に関係なく連続的にオンになり、チューナ回路１のミュート状態が解除される。すなわち、チューナ回路１が連続的に動作状態になる。
【００２７】
また、ＯＲゲート回路７０９からのハイレベルの信号ｃは、ＡＮＤゲート回路７１１の端子Ｂにも入力されるので、内部カウンタ回路７０１からのクロック信号φ３がＡＮＤゲート回路７１１の端子Ａに入力されて、ＡＮＤゲート回路７１１からはクロック信号ｄ（クロック信号φ３）がチューナ回路１のローカル発振回路１３、ＡＤＣ回路２１、およびＦＦＴ回路２２に供給される。また、ＣＰＵ３からローレベルのスタンバイ信号ａがＡＮＤゲート８０１の端子Ａに入力され、ローレベルの信号ｈがラッチ回路７０７の出力ＱからＡＮＤゲート回路８０１の端子Ｂに入力されているので、連続的なローレベルの信号ｇがＡＮＤゲート回路８０１からチューナ回路１のゲイン制御回路１５に入力される。したがって、ＡＭＰ回路１１のゲインが連続的に高い値になる。
【００２８】
なお、ＣＰＵ３は、図４のステップＳ３におけるクロック制御を停止する信号を送出した後、若しくはステップＳ７におけるクロック制御を停止する信号を送出した後、又は、ステップＳ５において緊急コードを検出しない場合には、その他の処理を行って（ステップＳ８）、ステップＳ１に移行して上記の処理を繰り返す。その他の処理としては、例えば、操作部５からのチャンネル変更、音量変更などの操作に応じた処理がある。
【００２９】
以上のように、この実施形態によれば、ＣＰＵ３は、テレビ放送を受信する受信回路において、チューナ回路１のミュート制御、ＡＭＰ回路１１のゲイン制御、ローカル発振回路１３を制御し、チューナ回路１からの受信信号を復調するＯＦＤＭ復調回路２を制御して、通常受信モードおよびスタンバイモードの２段階の受信能力の中から１つの段階の受信能力を選択して設定し、任意の段階の受信能力を設定した場合に、テレビ放送の受信信号に含まれている周期的な放送期間の緊急放送の起動制御信号を検出する。ＣＰＵ３は、通常受信モードでテレビ放送を受信中において、操作部５から受信を停止する指令が入力されたときは、受信回路の受信能力をスタンバイモードの受信能力に設定し、テレビ放送の受信が停止された後は、スタンバイモードの受信能力に設定されたチューナ回路１を起動制御信号の放送期間に同期して動作状態に制御し、他の放送期間は動作停止状態に制御する。
すなわち、テレビ放送の受信が停止された後は、受信回路における起動制御信号の復調機能の動作を維持させ、映像情報および音声情報の復調機能を停止する。
また、テレビ放送の受信を停止する指令が入力されたときは、チューナ回路１を起動制御信号の受信が可能な最小限の受信感度に設定する。
また、テレビ放送の受信を停止する指令が入力されたときは、起動制御信号の放送期間に同期して、チューナ回路１に電源を供給し、他の放送期間は電源供給を停止する。
したがって、スタンバイモードにおいては、起動制御信号の放送期間以外はチューナ回路１を動作停止状態に制御して、緊急放送用の起動制御信号を抽出するための電力消費を大幅に低減することができる。
【００３０】
なお、上記実施形態では、スタンバイモードにおいて、起動制御信号の放送期間にAMP回路１１のゲインを制御する構成にしたが、スタンバイモードにおいては、起動制御信号の放送期間にかかわらず連続的にAMP回路１１のゲインを下げるように制御する構成も可能である。AMP回路１１のゲインを下げてＣ／Ｎ（キャリア対ノイズ比）が低下した場合でも、緊急放送用の起動制御信号は、映像情報や音声情報とは異なり、１（ハイレベル）又は０（ローレベル）の２値の信号であるので、容易に検出することが可能である。
【００３１】
また、上記実施形態では、スタンバイモードの受信能力に設定されたチューナ回路１を起動制御信号の放送期間に同期して動作状態に制御し、他の放送期間は動作停止状態に制御するように構成したが、ＴＭＣＣ信号に同期して動作状態に制御し、他の放送期間は動作停止状態に制御するように構成してもよい。この場合には、クロック信号φ２の代わりに実際のＴＭＣＣ信号の伝送クロック信号をカウントする。
【００３２】
また、上記実施形態では、ＡＭＰ回路１１の受信能力としてそのゲインを通常受信モードとスタンバイモードの２段階に設定する構成にしたが、３段階以上の複数の段階のゲインを設定する構成にしてもよい。例えば、３段階に設定する構成では、通常受信モードにおいては、ＡＭＰ回路１１を最も高いゲインに設定し、スタンバイモードにおいては起動制御信号の放送期間に同期して次に高いゲインに設定し、それ以外の期間は最も低いゲインに設定する。あるいは、４段階に設定する構成では、通常受信モードにおいては、ＡＭＰ回路１１を最も高いゲインに設定し、スタンバイモードにおいては起動制御信号の放送期間に同期して次に高いゲインに設定し、起動制御信号の放送期間以外のＴＭＣＣ信号の期間はその次に高いゲインに設定し、それ以外の期間は最も低いゲインに設定する。
【００３３】
上記実施形態のテレビ受信装置においては、あらかじめ装置内に記憶された受信方法の制御プログラムを実行する装置の発明すなわち物の発明について説明したが、上記の実施形態のテレビ受信装置において実行するテレビ放送の受信方法は、方法の発明を構成する。
すなわち、本発明によるテレビ放送の受信方法は、複数段階の受信能力の中から１つの段階の受信能力を選択してテレビ放送を受信する受信手段に対して設定するステップＡと、前記ステップＡによって任意の段階の受信能力に設定された前記受信手段で受信されるテレビ放送の受信信号に含まれている周期的な放送期間の緊急放送の識別情報を検出するステップＢと、第１の段階の受信能力に設定された前記受信手段によってテレビ放送の受信中において、受信を停止する指令が入力されたときは、前記受信手段の受信能力を前記第１の受信能力より低い第２の受信能力に変更した後に、当該受信手段を識別情報の放送期間に同期して動作状態に制御し、他の放送期間は動作停止状態に制御するステップＣと、を実行する。
【００３４】
前記ステップＣは、テレビ放送の受信が停止された後は、前記受信手段における識別情報の復調機能の動作を維持させ、映像情報および音声情報の復調機能を停止する。
あるいは、前記ステップＣは、テレビ放送の受信を停止する指令が入力されたときは、前記受信手段のチューナ回路を識別情報の受信が可能な最小限の受信感度に設定する。この場合において、さらに、前記ステップＣは、テレビ放送の受信を停止する指令が入力されたときは、識別情報の放送期間に同期して前記チューナ回路に電源を供給し、他の放送期間は電源供給を停止する。
【図面の簡単な説明】
【００３５】
【図１】本発明のテレビ受信装置の一部の構成を示すブロック図。
【図２】図１におけるクロック同期回路の内部構成を示す回路図。
【図３】図１におけるチューナ回路の内部構成を示す回路図。
【図４】図１におけるＣＰＵの動作を示すフローチャート。
【図５】図１のテレビ受信装置のスタンバイモードにおける信号のタイミングチャート。
【図６】図１のテレビ受信装置の緊急放送検知時における信号のタイミングチャート。
【図７】従来のテレビ受信装置の一部の構成を示すブロック図。
【図８】地上デジタルテレビ放送におけるＴＭＣＣのＴＳパケットのデータフォーマット。
【符号の説明】
【００３６】
１  チューナ回路
２  ＯＦＤＭ復調回路
３  ＣＰＵ
４  インターフェース
５  操作部
【図１】
2006304054.tif 000003
【図２】
2006304054.tif 000004
【図３】
2006304054.tif 000005
【図４】
2006304054.tif 000006
【図５】
2006304054.tif 000007
【図６】
2006304054.tif 000008
【図７】
2006304054.tif 000009
【図８】
2006304054.tif 000010